(57)【要約】【課題】大量に撮影された画像データを、効率的に記憶することができる画像管理システムを提供する。【解決手段】本発明に係る画像管理システムは、携帯通信端末と、携帯通信端末とネットワークを介して接続されたサーバと、を含む画像管理システムであって、携帯通信端末は、作業現場における複数の作業工程のうちのいずれか一つの作業工程の指定を、ユーザから受け付ける受付部と、ユーザからの作業工程の指定の後に、作業工程の様子を撮影する撮影部と、撮影部が撮影した画像データ、および受付部が受け付けた作業工程を示す作業工程情報を送信する端末側通信部と、を備え、サーバは、画像データおよび作業工程情報を受信するサーバ側通信部と、作業工程情報から特定される作業工程毎の格納フォルダに、画像データを格納する格納部と、を備える。【選択図】図１
2020080185.tif 000002
【特許請求の範囲】
【請求項１】
携帯通信端末と、前記携帯通信端末とネットワークを介して接続されたサーバと、を含む画像管理システムであって、
前記携帯通信端末は、
作業現場における複数の作業工程のうちのいずれか一つの作業工程の指定を、ユーザから受け付ける受付部と、
前記ユーザからの前記作業工程の指定の後に、前記作業工程の様子を撮影する撮影部と、
前記撮影部が撮影した画像データ、および前記受付部が受け付けた作業工程を示す作業工程情報を送信する端末側通信部と、を備え、
前記サーバは、
前記画像データおよび前記作業工程情報を受信するサーバ側通信部と、
前記作業工程情報から特定される作業工程毎の格納フォルダに、前記画像データを格納する格納部と、を備える画像管理システム。
【請求項２】
前記受付部は、前記ユーザが入力する前記画像データの内容を説明する説明情報を更に受け付け、
前記端末側通信部は、前記説明情報を前記サーバに向けて送信し、
前記サーバ側通信部は、前記端末側通信部から送信された説明情報を受信し、
前記格納部は、前記説明情報を、前記画像データと関連付けて前記格納フォルダに格納することを特徴とする請求項１に記載の画像管理システム。
【請求項３】
前記携帯通信端末は、前記画像データを表示する表示部を更に備え、
前記サーバ側通信部は、前記格納部が前記格納フォルダに格納した前記画像データおよび前記説明情報それぞれの数量を示す数量情報を、前記端末側通信部に向けて送信し、
前記表示部は、前記画像データおよび前記説明情報それぞれの数量情報を、併せて表示することを特徴とする請求項２に記載の画像管理システム。
【請求項４】
前記携帯通信端末は、複数のグループを構成する複数のユーザそれぞれが保有し、
前記サーバは、前記複数のユーザが所属するグループ情報を含むユーザ情報を記憶するユーザ情報記憶部と、
前記携帯通信端末に対して、前記ユーザ情報に記載された前記グループ情報に基づいて、前記画像データを閲覧できるかどうかの閲覧権限を設定するユーザ権限設定部と、を備えていることを特徴とする請求項１から３のいずれか１項に記載の画像管理システム。
【請求項５】
前記ユーザ情報は、前記ユーザが所属する前記グループにおける役職情報を含み、
前記ユーザ権限設定部は、前記携帯通信端末に対して、前記ユーザ情報に記載された前記役職情報に基づいて、前記閲覧権限を設定することを特徴とする請求項４に記載の画像管理システム。
【請求項６】
前記サーバは、前記作業工程の様子の撮影を前記ユーザに促す報知情報を生成する報知部を備え、
前記サーバ側通信部は、前記報知情報を前記端末側通信部に向けて送信し、
前記携帯通信端末は、前記報知情報を、前記ユーザに伝達することを特徴とする請求項１から５のいずれか１項に記載の画像管理システム。
【請求項７】
前記撮影部は、前記作業工程の様子を撮影する際に、その時点の日時を示す日時情報を取得し、
前記端末側通信部は、前記画像データおよび前記作業工程情報とともに、前記日時情報を前記サーバ側通信部に向けて送信し、
前記格納部は、前記撮影部
が取得した日時情報を、対応する画像データと関連付けて前記格納フォルダに格納することを特徴とする請求項１から６のいずれか１項に記載の画像管理システム。
【請求項８】
前記携帯通信端末は、複数のグループを構成する複数のユーザそれぞれが保有し、
前記サーバは、前記携帯通信端末を保有する前記複数のユーザが所属するグループ情報を含むユーザ情報を記憶するユーザ情報記憶部を備え、
前記格納部は、前記画像データを送信した前記携帯通信端末のユーザ情報を、前記ユーザ情報記憶部から取得して、前記ユーザ情報を前記画像データと関連付けて前記格納フォルダに格納することを特徴とする請求項１から７のいずれか１項に記載の画像管理システム。
【請求項９】
前記サーバは、前記画像データを撮影したユーザが所属するグループを管理するグループ監督者の指示により、前記画像データを撮影した前記ユーザに対して、前記画像データの再取得を促す再撮影指示部を備えていることを特徴とする請求項８に記載の画像管理システム。
【請求項１０】
携帯通信端末と、前記携帯通信端末とネットワークを介して接続されたサーバと、を用いて行われる画像管理方法であって、
前記携帯通信端末において、作業現場における複数の作業工程のうちのいずれか一つの作業工程の指定を、ユーザから受け付ける受付ステップと、
前記携帯通信端末において、前記ユーザからの前記作業工程の指定の後に、前記作業工程の様子を撮影する撮影ステップと、
前記携帯通信端末において、前記撮影ステップにより撮影した画像データ、および前記受付ステップにより受け付けた作業工程を示す作業工程情報を送信する端末側通信ステップと、を備え、
前記サーバにおいて、前記画像データおよび前記作業工程情報を受信するサーバ側通信ステップと、
前記サーバにおいて、前記作業工程情報から特定される作業工程毎の格納フォルダに、前記画像データを格納する格納ステップと、を備える画像管理方法。
【請求項１１】
携帯通信端末と、前記携帯通信端末とネットワークを介して接続されたサーバと、を含む画像管理システムにおいて用いられる画像管理プログラムであって、
前記携帯通信端末に、
作業現場における複数の作業工程のうちのいずれか一つの作業工程の指定を、ユーザから受け付ける受付機能と、
前記ユーザからの前記作業工程の指定の後に、前記作業工程の様子を撮影する撮影機能と、
前記撮影機能により撮影した画像データ、および前記受付機能により受け付けた作業工程を示す作業工程情報を送信する端末側通信機能と、を実現させる画像管理プログラム。
【請求項１２】
携帯通信端末と、前記携帯通信端末とネットワークを介して接続されたサーバと、を含む画像管理システムにおいて用いられる画像管理プログラムであって、
前記サーバに、
前記画像データおよび前記作業工程情報を受信するサーバ側通信機能と、
前記作業工程情報から特定される作業工程毎の格納フォルダに、前記画像データを格納する格納機能と、を実現させる請求項１１に記載の画像管理プログラム。
【発明の詳細な説明】
【技術分野】
【０００１】
本発明は、画像管理システム、画像管理方法、および画像管理プログラムに関する。
【背景技術】
【０００２】
従来、撮影した画像データを管理するシステムとして、複数の画像データをフォルダに区分けした状態で保存する画像管理システムが知られている。
例えば、特許文献１には、画像データの撮影日毎にフォルダを作成する画像管理システムが開示されている。
【先行技術文献】
【特許文献】
【０００３】
【特許文献１】特許第４７１７２９９号公報
【発明の概要】
【発明が解決しようとする課題】
【０００４】
しかしながら従来の画像管理システムでは、デジタルカメラにより撮影した画像データを、画像管理システムであるパーソナルコンピュータに取り込む際に、ユーザが画像データを保存するフォルダを選択する。このため、例えば工事現場の工程毎の様子を撮影した場合のように、画像データの数量が膨大になる場合には、画像データが保存されるフォルダをユーザが選択する作業の工数がかさむことがあった。
このように、従来の画像管理システムでは、大量に撮影された画像データを、画像管理システムに効率的に保存することに改善の余地があった。
【０００５】
そこで本発明は、大量に撮影された画像データを、効率的に保存することができる画像管理システムを提供することを目的とする。
【課題を解決するための手段】
【０００６】
上記課題を解決するために、本発明に係る画像管理システムは、携帯通信端末と、携帯通信端末とネットワークを介して接続されたサーバと、を含む画像管理システムであって、携帯通信端末は、作業現場における複数の作業工程のうちのいずれか一つの作業工程の指定を、ユーザから受け付ける受付部と、ユーザからの作業工程の指定の後に、作業工程の様子を撮影する撮影部と、撮影部が撮影した画像データ、および受付部が受け付けた作業工程を示す作業工程情報を送信する端末側通信部と、を備え、サーバは、画像データおよび作業工程情報を受信するサーバ側通信部と、作業工程情報から特定される作業工程毎の格納フォルダに、画像データを格納する格納部と、を備える。
【０００７】
また、受付部は、ユーザが入力する画像データの内容を説明する説明情報を更に受け付け、端末側通信部は、説明情報をサーバに向けて送信し、サーバ側通信部は、端末側通信部から送信された説明情報を受信し、格納部は、説明情報を、画像データと関連付けて格納フォルダに格納してもよい。
【０００８】
また、携帯通信端末は、画像データを表示する表示部を更に備え、サーバ側通信部は、格納部が格納フォルダに格納した画像データおよび説明情報それぞれの数量を示す数量情報を、端末側通信部に向けて送信し、表示部は、画像データおよび説明情報それぞれの数量情報を、併せて表示してもよい。
【０００９】
また、携帯通信端末は、複数のグループを構成する複数のユーザそれぞれが保有し、サーバは、複数のユーザが所属するグループ情報を含むユーザ情報を記憶するユーザ情報記憶部と、携帯通信端末に対して、ユーザ情報に記載されたグループ情報に基づいて、画像データを閲覧できるかどうかの閲覧権限を設定するユーザ権限設定部と、を備えてもよい。
【００１０】
また、ユーザ情報は、ユーザが所属するグループにおける役職情報を含み、ユーザ権限設定部は、携帯通信端末に対して、ユーザ情報に記載された役職情報に基づいて、閲覧権限を設定してもよい。
【００１１】
また、サーバは、作業工程の様子の撮影をユーザに促す報知情報を生成する報知部を備え、サーバ側通信部は、報知情報を端末側通信部に向けて送信し、携帯通信端末は、報知情報を、ユーザに伝達してもよい。
【００１２】
また、撮影部は、作業工程の様子を撮影する際に、その時点の日時を示す日時情報を取得し、端末側通信部は、画像データおよび作業工程情報とともに、日時情報をサーバ側通信部に向けて送信し、格納部は、撮影部が取得した日時情報を、対応する画像データと関連付けて格納フォルダに格納してもよい。
【００１３】
また、携帯通信端末は、複数のグループを構成する複数のユーザそれぞれが保有し、サーバは、携帯通信端末を保有する複数のユーザが所属するグループ情報を含むユーザ情報を記憶するユーザ情報記憶部を備え、格納部は、画像データを送信した携帯通信端末のユーザ情報を、ユーザ情報記憶部から取得して、ユーザ情報を画像データと関連付けて格納フォルダに格納してもよい。
【００１４】
また、サーバは、画像データを撮影したユーザが所属するグループを管理するグループ監督者の指示により、画像データを撮影したユーザに対して、画像データの再取得を促す再撮影指示部を備えてもよい。
【００１５】
上記課題を解決するために、本発明に係る画像管理方法は、携帯通信端末と、携帯通信端末とネットワークを介して接続されたサーバと、を用いて行われる画像管理方法であって、携帯通信端末において、作業現場における複数の作業工程のうちのいずれか一つの作業工程の指定を、ユーザから受け付ける受付ステップと、携帯通信端末において、ユーザからの作業工程の指定の後に、作業工程の様子を撮影する撮影ステップと、携帯通信端末において、撮影ステップにより撮影した画像データ、および受付ステップにより受け付けた作業工程を示す作業工程情報を送信する端末側通信ステップと、を備え、サーバにおいて、画像データおよび作業工程情報を受信するサーバ側通信ステップと、サーバにおいて、作業工程情報から特定される作業工程毎の格納フォルダに、画像データを格納する格納ステップと、を備える。
【００１６】
上記課題を解決するために、本発明に係る画像管理プログラムは、携帯通信端末と、携帯通信端末とネットワークを介して接続されたサーバと、を含む画像管理システムにおいて用いられる画像管理プログラムであって、携帯通信端末に、作業現場における複数の作業工程のうちのいずれか一つの作業工程の指定を、ユーザから受け付ける受付機能と、ユーザからの作業工程の指定の後に、作業工程の様子を撮影する撮影機能と、撮影機能により撮影した画像データ、および受付機能により受け付けた作業工程を示す作業工程情報を送信する端末側通信機能と、を実現させる。
【００１７】
また、本発明に係る画像管理プログラムは、携帯通信端末と、携帯通信端末とネットワークを介して接続されたサーバと、を含む画像管理システムにおいて用いられる画像管理プログラムであって、サーバに、画像データおよび作業工程情報を受信するサーバ側通信機能と、作業工程情報から特定される作業工程毎の格納フォルダに、画像データを格納する格納機能と、を実現させる。
【発明の効果】
【００１８】
本発明の画像管理システムでは、ユーザが、作業現場の作業工程の様子を撮影する前に、撮影する作業工程が、複数存在する作業工程のうちいずれの作業工程であるかを指定する。そして、撮影された画像データは、格納部により、ユーザにより指定された作業工程毎の格納フォルダに格納される。このため、撮影された時点で既に画像データが保存される格納フォルダが選択されていることとなり、連続して撮影をする場合には、一度の指定により、複数の画像データそれぞれが該当する作業工程を一括して選択することができる。また、例えばユーザが、画像データをサーバに保存する際に、それぞれの画像データが保存されるフォルダを別途選択するような作業が発生しない。これらにより、大量に撮影された画像データを、効率的に保存することができる。
【００１９】
またユーザが、撮影部を備えた携帯通信端末を操作して作業工程を指定するので、撮影を行う現場で撮影の直前に作業工程を選択することができる。これにより、例えばユーザが、予め事務所内に設置されたサーバを操作して、撮影する画像データが該当する作業工程を選択したうえで、工事現場に赴いて作業工程の様子を撮影するような構成と比較して、作業工程の指定漏れや指定ミスを防ぐことができる。
【図面の簡単な説明】
【００２０】
【図１】本発明の一実施形態に係る画像管理システムの構成例を示す模式図である。
【図２】図１に示すサーバの構成例を示すブロック図である。
【図３】図２に示すデータ記憶部における格納フォルダを示す図である。
【図４】図１に示す携帯通信端末の構成例を示すブロック図である。
【図５】画像管理システムにおける処理フローを示す図である。
【図６】携帯通信端末により撮影する前における表示部の表示内容を示す図である。
【図７】携帯通信端末により撮影した後における表示部の表示内容を示す図である。
【図８】サーバの変形例を示す図である。
【発明を実施するための形態】
【００２１】
本発明の一実施形態に係る画像管理システム１ついて、図１から図７を参照しながら説明する。
図１は、本発明の一実施形態に係る画像管理システム１の構成例を示す模式図である。画像管理システム１は、画像データを一括管理するシステムである。
図１に示すように、画像管理システム１は、ネットワーク２０を介して互いに接続された携帯通信端末１０、サーバ３０、および監督者端末４０により構成されている。
【００２２】
ここで、本発明の画像管理システム１は、複数のグループにより複数の工程（作業工程）が施工される工事現場のような作業現場において、工程の様子を撮影した画像データを管理するシステムであり、取得した画像データを、例えば必要に応じて官庁に提出する等の目的の為に整理、保存するシステムである。
なお、工事の種類としては、土木工事や建設工事等、複数の工程が行われる工事であれば、どのようなものであってもよい。
【００２３】
このような工事を行う複数のグループそれぞれは、複数の現場作業者５０（ユーザ）と、現場作業者５０を監督するグループ監督者５１（ユーザ）と、を備えている。
携帯通信端末１０は、例えば現場作業者５０およびグループ監督者５１それぞれが保有する装置であり、例えばスマートフォンやタブレットが該当する。なお、図１では、複数の携帯通信端末１０の図示を省略しているが、実際には複数の携帯通信端末１０が、ネットワーク２０と接続されている。
【００２４】
監督者端末４０は、主にグループ監督者５１が使用する端末であり、図示の例では、グループ監督者５１が工事現場に併設された現場オフィスで使用するパソコンである。なお、このような態様に限られず、監督者端末４０は、工事会社のオフィスに配置されたパソコンであってもよいし、携帯可能なタブレットであってもよい。
また、図１では図示を省略しているが、複数の監督者端末４０がネットワーク２０と接続されてもよい。また、グループ監督者５１の他に、現場作業者５０のうち、使用を認められた者や、グループ監督者５１を統括する工事現場の責任者が、監督者端末４０を使用してもよい。
【００２５】
ネットワーク２０は、画像管理システム１と各種の機器との間を相互に接続させるためのネットワークであり、例えば、無線ネットワークや有線ネットワークである。
具体的には、ネットワーク２０は、ワイヤレスＬＡＮ（ｗｉｒｅｌｅｓｓ  ＬＡＮ：ＷＬＡＮ）や広域ネットワーク（ｗｉｄｅ  ａｒｅａ  ｎｅｔｗｏｒｋ：ＷＡＮ）、ＩＳＤＮｓ（ｉｎｔｅｇｒａｔｅｄ  ｓｅｒｖｉｃｅ  ｄｉｇｉｔａｌ  ｎｅｔｗｏｒｋｓ）、無線ＬＡＮｓ、ＬＴＥ（ｌｏｎｇ  ｔｅｒｍ  ｅｖｏｌｕｔｉｏｎ）、ＬＴＥ−Ａｄｖａｎｃｅｄ、第４世代（４Ｇ）、第５世代（５Ｇ）、ＣＤＭＡ（ｃｏｄｅ  ｄｉｖｉｓｉｏｎ  ｍｕｌｔｉｐｌｅ  ａｃｃｅｓｓ）、ＷＣＤＭＡ（登録商標）、イーサネット（登録商標）などである。
【００２６】
また、ネットワーク２０は、これらの例に限られず、例えば、公衆交換電話網（Ｐｕｂｌｉｃ  Ｓｗｉｔｃｈｅｄ  Ｔｅｌｅｐｈｏｎｅ  Ｎｅｔｗｏｒｋ：ＰＳＴＮ）やブルートゥース（Ｂｌｕｅｔｏｏｔｈ（登録商標））、ブルートゥースローエナジー（Ｂｌｕｅｔｏｏｔｈ  Ｌｏｗ  Ｅｎｅｒｇｙ）、光回線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線、衛星通信網などであってもよく、どのようなネットワークであってもよい。
【００２７】
また、ネットワーク２０は、例えば、ＮＢ−ＩｏＴ（Ｎａｒｒｏｗ  Ｂａｎｄ  ＩｏＴ）や、ｅＭＴＣ（ｅｎｈａｎｃｅｄ  Ｍａｃｈｉｎｅ  Ｔｙｐｅ  Ｃｏｍｍｕｎｉｃａｔｉｏｎ）であってもよい。なお、ＮＢ−ＩｏＴやｅＭＴＣは、ＩｏＴ向けの無線通信方式であり、低コスト、低消費電力で長距離通信が可能なネットワークである。
【００２８】
また、ネットワーク２０は、これらの組み合わせであってもよい。また、ネットワーク２０は、これらの例を組み合わせた複数の異なるネットワークを含むものであってもよい。例えば、ネットワーク２０は、ＬＴＥによる無線ネットワークと、閉域網であるイントラネットなどの有線ネットワークとを含むものであってもよい。
【００２９】
次に、図２および図３を用いて、サーバ３０の構成について説明する。図２は、サーバ３０の構成例を示すブロック図、図３は、サーバ３０のデータ記憶部３２における格納フォルダを示す図である。
サーバ３０は、サーバ側通信部３１、データ記憶部３２、ユーザ情報記憶部３３、サーバ処理部３４、およびプログラム記憶部３５を備えている。
【００３０】
サーバ側通信部３１は、ネットワーク２０を介して、各種のデータを送受信する通信インターフェースである。各種のデータとして、後述する画像データ、説明情報、日時情報、およびユーザ情報、報知情報、再撮影指示等が含まれる。
また、サーバ側通信部３１は、格納部３４Ａが格納フォルダに格納した画像データおよび説明情報それぞれの数量を示す数量情報を、携帯通信端末１０の後述する端末側通信部１１に向けて送信する。また、サーバ側通信部３１は、端末側通信部１１から送信された説明情報も受信する。
【００３１】
データ記憶部３２は、画像データを含む各種データが格納フォルダを記憶している。データ記憶部３２には、工程毎の格納フォルダが複数設けられている。
図３に示すように、各格納フォルダには、対応する工程の様子として撮影された画像データが、説明情報、日時情報、および撮影したユーザ情報と関連づけて格納されている。格納フォルダには、工程名が割り振られている。
【００３２】
ユーザ情報記憶部３３は、複数のユーザが所属するユーザ情報を記憶している。ユーザ情報は、例えばユーザの個人名が登録された情報であり、複数の携帯通信端末１０それぞれの使用者を示す情報である。
また、ユーザ情報は、ユーザが所属するグループを示すグループ情報と、そのグループにおける役職を示す役職情報を含んでいる。すなわち、ユーザ情報を確認することで、複数の携帯通信端末１０それぞれの使用者が、どのユーザであるかを特定することができる。
【００３３】
サーバ処理部３４は、サーバ３０の各部を制御するコンピュータであり、例えば、中央処理装置（ＣＰＵ）やマイクロプロセッサ、ＡＳＩＣ、ＦＰＧＡなどであってもよい。なお、サーバ処理部３４は、これらの例に限られず、サーバ３０の各部を制御するコンピュータであれば、どのようなものであってもよい。
【００３４】
サーバ処理部３４は、格納部３４Ａ、報知部３４Ｂ、ユーザ権限設定部３４Ｃ、および再撮影指示部３４Ｄを備えている。
格納部３４Ａは、工程情報（作業工程情報）から特定される工程毎の格納フォルダに、画像データを格納する。この際、格納部３４Ａは、撮影時にユーザにより入力された説明情報を、画像データと関連付けて格納フォルダに格納する。すなわち、説明情報で示される工程に対応する工程を示す格納フォルダに、画像データおよび説明情報を格納する。
【００３５】
また、格納部３４Ａは、撮影部１４が取得した日時情報を、対応する画像データと関連付けて格納フォルダに格納する。
更に格納部３４Ａは、画像データを送信した携帯通信端末１０のユーザ情報を、ユーザ情報記憶部３３から取得して、ユーザ情報を画像データと関連付けて格納フォルダに格納する。
【００３６】
報知部３４Ｂは、工程の様子の撮影をユーザに促す報知情報を生成する。サーバ側通信部３１は、報知情報を、後述する携帯通信端末１０の端末側通信部１１に向けて送信する。
ユーザ権限設定部３４Ｃは、携帯通信端末１０に対して、ユーザ情報に記載されたグループ情報に基づいて、画像データを閲覧できるかどうかの閲覧権限を設定する。ユーザ権限設定部３４Ｃは、携帯通信端末１０に対して、ユーザ情報に記載された役職情報に基づいて、閲覧権限を設定する。
再撮影指示部３４Ｄは、画像データを撮影したユーザが所属するグループを管理するグループ監督者５１の指示により、画像データを撮影したユーザに対して、画像データの再取得を促す。
【００３７】
プログラム記憶部３５は、サーバ処理部３４が動作するうえで必要とする各種の制御プログラムを記憶する機能を有する。前述した各記憶部は、例えば、ＨＤＤ、ＳＳＤ、フラッシュメモリなど各種の記憶媒体により実現される。
プログラム記憶部３５に記憶された制御プログラムを実行することで、サーバ処理部３４が、画像管理システム１として実現すべき各機能を実現する。ここでいう各機能とは、サーバ３０が実現する機能として、サーバ側通信機能、および格納機能を含んでいる。
【００３８】
次に、図４を用いて、携帯通信端末１０の構成について説明する。図４は、携帯通信端末１０の構成例を示すブロック図である。
携帯通信端末１０は、端末側通信部１１、端末記憶部１２、端末処理部１３、撮影部１４、およびタッチパネルとしての表示部１５を備えている。
【００３９】
端末側通信部１１は、ネットワーク２０を介して、各種のデータを送受信する通信インターフェースである。各種のデータとして、後述する画像データ、説明情報、日時情報、およびユーザ情報、報知情報、再撮影指示等が含まれる。
端末側通信部１１は、各種の情報をサーバ３０に向けて送信する。すなわち、端末側通信部１１は、画像データおよび工程情報とともに、日時情報とユーザ情報を、サーバ側通信部３１に向けて送信する。
【００４０】
端末記憶部１２は、端末処理部１３が動作するうえで必要とする各種の制御プログラムや各種データを記憶する機能を有する。端末記憶部１２は、例えば、ＨＤＤ、ＳＳＤ、フラッシュメモリなど各種の記憶媒体により実現される。
端末記憶部１２に記憶された制御プログラムを実行することで、端末処理部１３が、画像管理システム１として実現すべき各機能を実現する。ここでいう各機能とは、後述する受付機能、撮影機能、および端末側通信機能を含んでいる。
【００４１】
端末処理部１３は、携帯通信端末１０の各部を制御するコンピュータであり、例えば、中央処理装置（ＣＰＵ）やマイクロプロセッサ、ＡＳＩＣ、ＦＰＧＡなどであってもよい。なお、端末処理部１３は、これらの例に限られず、携帯通信端末１０の各部を制御するコンピュータであれば、どのようなものであってもよい。
【００４２】
端末処理部１３は、受付部１３Ａ、撮影処理部１３Ｂ、および表示処理部１３Ｃを備えている。
受付部１３Ａは、工事現場における複数の工程のうちのいずれか一つの工程の指定を、ユーザから受け付ける。受付部１３Ａは、表示部１５に対するユーザの操作を介して、工程の指定をユーザから受け付ける。受付部１３Ａは、ユーザが入力する画像データの内容を説明する説明情報を更に受け付ける。
【００４３】
撮影部１４は、ユーザの操作により、工程の様子を撮影することができるカメラである。撮影部１４は、撮影処理部１３Ｂにより処理されたユーザからの操作に応じて、撮影を行うことができる。撮影部１４は、工程の様子を撮影する際に、その時点の日時を示す日時情報を取得する。
【００４４】
表示部１５は、表示処理部１３Ｃにより処理された情報を表示するモニタであり、タッチパネルとなっている。このため、ユーザはタッチパネルを押下することで、各種の操作をすることができる。表示部１５は、画像データおよび説明情報を表示するとともに、画像データおよび説明情報それぞれの数量情報を、併せて表示する。
また、携帯通信端末１０は、報知情報を、ユーザに伝達する。報知情報のユーザへの伝達方法としては、例えば表示部１５に報知情報を表示してもよいし、音や振動により伝達してもよい。
【００４５】
次に、図５から図７を用いて、画像管理システム１の制御フロー、および携帯通信端末１０における操作の内容について説明する。
図５は、画像管理システム１における処理フローを示す図である。図６は、携帯通信端末１０により撮影する前における表示部１５の表示内容を示す図であり、図７は、携帯通信端末１０により撮影した後における表示部１５の表示内容を示す図である。
【００４６】
まず、動作開始の操作として、図６（ａ）に示す携帯通信端末１０の撮影開始のボタンＡをユーザが押下する。そして、携帯通信端末１０において受付ステップ（図５：Ｓ５０１）を行う。
受付ステップでは、受付部１３Ａが、ユーザがこれから撮影する工程として、工事現場における複数の工程のうちのいずれか一つの工程の指定を、ユーザから受け付ける。
【００４７】
この際、図６（ｂ）に示すような、工程の名称が表示されたボタンＢをユーザが押下することで、受付部１３Ａがユーザから工程の指定を受付ける。ここで、本実施形態では、工程の名称と対応する格納フォルダが事前に準備されている。
なお、このような態様に限られず、撮影を行うユーザが、撮影を行う前に格納フォルダを作成するような構成であってもよいし、監督者端末４０又は携帯通信端末１０から格納フォルダの名称を編集可能であってもよい。
【００４８】
次に、携帯通信端末１０において撮影ステップ（図５：Ｓ５０２）を行う。撮影ステップでは、ユーザからの工程の指定の後に、撮影が工程の様子を撮影する。この際、図６（ｃ）に示すような撮影ボタンＣを押下することで、撮影部１４が起動する。そして、ユーザは工程の様子のうち、記録が必要な箇所の撮影を行う。
【００４９】
そして、撮影ステップでは、撮影の後に、取得した画像データを説明する説明情報をユーザが入力する。説明情報とは、当該画像データにおいて、確認の際に留意すべき事項や、撮影時の背景等の情報等である。この際、図７（ａ）に示すように、表示された画像データの右側のメモ欄をクリックすることで、ユーザが説明情報を入力することができる。なお、説明情報は入力しなくてもよい。
【００５０】
次に、携帯通信端末１０において端末側通信ステップ（図５：Ｓ５０３）を行う。端末側通信ステップでは、撮影ステップにより撮影した画像データ、および受付ステップにより受け付けた工程を示す工程情報等の各種データを、端末側通信部１１がサーバ側通信部３１に向けて送信する。またこの際に送信する各種のデータとしては、ユーザ情報や日時情報を含んでいる。
次に、サーバ３０においてサーバ側通信ステップ（図５：Ｓ５０４）を行う。サーバ側通信ステップでは、画像データおよび工程情報を含む各種情報を、サーバ側通信部３１が端末側通信部１１から受信する。
【００５１】
そして、サーバ３０において格納ステップ（図５：Ｓ５０５）を行う。格納ステップでは、工程情報から特定される工程毎の格納フォルダに、格納部３４Ａが画像データを格納する。この際、格納部３４Ａは、画像データと関連付けて、日時情報やユーザ情報を格納フォルダに格納する。
【００５２】
そして、図７（ａ）に示すアルバムリストボタンＤをユーザが押下して、図７（ｂ）に示すように、フォルダ名が並べられたアルバムリストに戻ると、格納された画像データと、説明情報との数量がそれぞれ表示されている。ユーザはこの数量を確認して、画像データと説明情報との数が一致しているかどうかを把握する。このように、指定した工程名によりアルバムが作られるので、例えば日時情報によりフォルダが作られるような構成よりも、確認したい画像データを効率的に探すことができ、画像データの取扱性を向上することができる。
【００５３】
そして、サーバ３０と接続された監督者端末４０を用いて、グループ監督者５１が確認ステップ（図５：Ｓ５０６）を行う。
確認ステップでは、グループ監督者５１が画像データの確認を行う。画像データの確認とは、撮影された工程の様子として、適切な箇所が撮影されているかどうか、画像データが不鮮明でないかどうか等、適切な状態の画像データが格納されているかどうかを確認する。
【００５４】
そして、確認ステップにより、画像データが適切であれば（Ｓ５０７のＹＥＳ）、画像管理方法が終了する。一方、画像データが不適切であれば（Ｓ５０７のＮＯ）、再撮影指示ステップ（図５：Ｓ５０８）を行う。
再撮影指示ステップでは、グループ監督者５１の操作により、不適切な画像データが選択される。これにより、再撮影指示部３４Ｄが、当該画像データと関連付けられたユーザ情報を確認し、該当するユーザに対して、不適切な画像データと対応する工程の様子の再撮影を指示する。
具体的な指示の方法としては、グループ監督者５１が、不適切な画像データを削除する方法や、不適切な画像データのメモ欄に「撮り直し」と記入する方法が挙げられる。そして、適切な画像データが格納されるまで、確認ステップおよび再撮影指示ステップを繰り返す。
【００５５】
またユーザは、工事が次の工程に入った際に、同様の処理を繰り返す。この際、報知部３４Ｂからの携帯通信端末１０に送信される報知情報により、ユーザに対して工程の様子の撮影を促すことができる。
【００５６】
以上説明したように、本実施形態に係る画像管理システム１によれば、ユーザが、工事現場の工程の様子を撮影する前に、撮影する工程が、複数存在する工程のうちいずれの工程であるかを指定する。そして、撮影された画像データは、格納部３４Ａにより、ユーザにより指定された工程毎の格納フォルダに格納される。
このため、撮影された時点で既に画像データが保存される格納フォルダが選択されていることとなり、連続して撮影をする場合には、一度の指定により、複数の画像データそれぞれが該当する工程を一括して選択することができる。また、例えばユーザが、画像データをサーバ３０に保存する際に、それぞれの画像データが保存されるフォルダを別途選択するような作業が発生しない。これらにより、大量に撮影された画像データを、効率的に保存することができる。
【００５７】
またユーザが、撮影部１４を備えた携帯通信端末１０を操作して工程を指定するので、撮影を行う現場で撮影の直前に工程を選択することができる。これにより、例えばユーザが、予め事務所内に設置されたサーバ３０を操作して、撮影する画像データが該当する工程を選択したうえで、工事現場に赴いて工程の様子を撮影するような構成と比較して、工程の指定漏れや指定ミスを防ぐことができる。
【００５８】
また、ユーザから受付部１３Ａが受付けた説明情報を、画像データと関連付けて格納部３４Ａが格納フォルダに格納する。このため、当該画像データにおいて、確認の際に留意すべき事項や、撮影時の背景等の情報を画像データと関連付けて保存することができる。これにより、後になって画像データを確認する際の利便性を確保することができる。
【００５９】
また、携帯通信端末１０が表示部１５を備え、表示部１５が、画像データおよび説明情報それぞれの数量情報を、併せて表示するので、例えば全ての画像データに説明情報を入力するような運用を行う場合に、説明情報の入力漏れが発生するのを効果的に抑制することができる。
【００６０】
また、サーバ３０がユーザ情報記憶部３３とユーザ権限設定部３４Ｃとを備えているので、グループ監督者５１が、ユーザそれぞれが所属するグループ毎に、容易に閲覧権限を設定することが可能になり、画像管理システム１の利便性を更に確保することができる。
また、ユーザ権限設定部３４Ｃが、ユーザ情報に記載された役職情報に基づいて、閲覧権限を設定することもできるので、工事現場における情報の取扱性を確保することができる。
【００６１】
またサーバ３０が、工程の様子の撮影をユーザに促す報知情報を生成する報知部３４Ｂを備え、携帯通信端末１０が、報知部３４Ｂが生成した報知情報をユーザに伝達するので、ユーザが各工程の様子を撮影するのを忘れることを確実に防止することができる。
【００６２】
また、格納部３４Ａは、撮影部１４が取得した日時情報を、対応する画像データと関連付けて格納フォルダに格納する。このため、例えば日時情報を利用いて、画像データを時系列に沿って表示したり、所定の時期における工程の様子を撮影した画像データを検索したりする操作を行うことができる。
【００６３】
また、格納部３４Ａは、画像データを送信した携帯通信端末１０のユーザ情報を、ユーザ情報記憶部３３から取得して、ユーザ情報を画像データと関連付けて格納フォルダに格納する。これにより、どのユーザが当該画像データを撮影したのかを、容易に確認することができる。
【００６４】
また、サーバ３０は、グループ監督者５１の指示により、画像データを撮影したユーザに対して、画像データの再取得を促す再撮影指示部３４Ｄを備えている。このため、撮影した画像データが不鮮明であったり、本来撮影するべき個所が適切に写っていなかったりした場合に、グループ監督者５１の操作により、ユーザに対して容易に再撮影を指示することができる。
【００６５】
なお、画像管理システム１は、上記実施形態に限定されるものではなく、他の手法により実現されてもよいことは言うまでもない。以下、各種変形例について説明する。
例えば、上記実施形態の制御プログラムは、コンピュータに読み取り可能な記憶媒体に記憶された状態で提供されてもよい。記憶媒体は、「一時的でない有形の媒体」に、制御プログラムを記憶可能である。記憶媒体は、ＨＤＤやＳＤＤなどの任意の適切な記憶媒体、またはこれらの２つ以上の適切な組合せを含むことができる。記憶媒体は、揮発性、不揮発性、または揮発性と不揮発性の組合せでよい。なお、記憶媒体はこれらの例に限られず、制御プログラムを記憶可能であれば、どのようなデバイスまたは媒体であってもよい。
【００６６】
また、画像管理システム１は、例えば、記憶媒体に記憶された制御プログラムを読み出し、読み出した制御プログラムを実行することによって、実施形態に示す各機能を実現することができる。また、当該制御プログラムは、任意の伝送媒体（通信ネットワークや放送波等）を介して、画像管理システム１に提供されてもよい。画像管理システム１は、例えば、インターネット等を介してダウンロードした制御プログラムを実行することにより、各実施形態に示す複数の機能部の機能を実現する。
【００６７】
また、当該制御プログラムは、例えば、ＡｃｔｉｏｎＳｃｒｉｐｔ、ＪａｖａＳｃｒｉｐｔ(登録商標)などのスクリプト言語、Ｏｂｊｅｃｔｉｖｅ―Ｃ、Ｊａｖａ(登録商標)などのオブジェクト指向プログラミング言語、ＨＴＭＬ５などのマークアップ言語などを用いて実装してもよい。
【００６８】
画像管理システム１における処理の少なくとも一部は、１以上のコンピュータにより構成されるクラウドコンピューティングにより実現されていてもよい。また、画像管理システム１の各機能部は、上記実施形態に示した機能を実現する１または複数の回路によって実現されてもよく、１の回路により複数の機能部の機能が実現されることとしてもよい。
【００６９】
例えば、図８に示す変形例に係るサーバ３０Ｂは、クラウドコンピューティングにより実現されている。図８は、サーバ３０Ｂの変形例を示す図である。このサーバ３０Ｂは、アプリケーションサーバ１３１、ストレージ１３２、およびデータサーバ１３３により構成されている。
【００７０】
変形例に係るサーバ３０Ｂでは、データ記憶部３２の機能をストレージ１３２およびデータサーバ１３３が担っている。すなわち、ストレージ１３２は、画像データそのものを保存している。また、データサーバ１３３は、画像データを特定するためのＩＤ、説明情報、日時情報、およびユーザ情報を保存している。すなわち、格納フォルダが、ストレージ１３２とデータサーバ１３３とにより実現されている。
【００７１】
また、上記実施形態では、複数の作業工程を備えた作業現場として、工事現場を例に挙げて説明したが、この画像管理システムが適用される分野は、工事現場に限られない。すなわち、大量の画像データを時系列に取得して保存することが要求される作業現場であれば、例えば教育関係、美容関係、飲食関係等、各種の分野に適用することができる。
【００７２】
また、本開示の実施形態を諸図面や実施例に基づき説明してきたが、当業者であれば本開示に基づき種々の変形や修正を行うことが容易であることに注意されたい。従って、これらの変形や修正は本開示の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。また、各実施形態に示す構成を適宜組み合わせることとしてもよい。
【符号の説明】
【００７３】
１    画像管理システム
１０  携帯通信端末
２０  ネットワーク
３０  サーバ
４０  管理者端末
５０  現場作業者（ユーザ）
５１  グループ監督者（ユーザ）
【図１】
2020080185.tif 000003
【図２】
2020080185.tif 000004
【図３】
2020080185.tif 000005
【図４】
2020080185.tif 000006
【図５】
2020080185.tif 000007
【図６】
2020080185.tif 000008
【図７】
2020080185.tif 000009
【図８】
2020080185.tif 000010
【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
携帯通信端末と、監督者端末と、前記携帯通信端末及び前記監督者端末とネットワークを介して接続されたサーバと、を含む画像管理システムであって、
前記携帯通信端末は、
表示部と、
前記表示部に表示された、作業現場における複数の作業工程の名称が表示された複数のボタンのうちのいずれか一つのボタンを、ユーザから押下されることで作業工程の指定を受け付けるとともに、前記作業工程の様子を撮影した画像データの内容を説明する説明情報を受け付ける受付部と、
前記ユーザからの前記作業工程の指定の後に、前記作業工程の様子を撮影する撮影部と、
前記撮影部が撮影した前記画像データ、および前記受付部が受け付けた作業工程を示す作業工程情報を送信するとともに、前記説明情報を前記サーバに向けて送信する端末側通信部と、を備え、
前記監督者端末は、主に前記ユーザが所属するグループを管理するグループ監督者が使用する端末であり、
前記サーバは、
前記画像データおよび前記作業工程情報を受信するとともに、前記端末側通信部から送信された前記説明情報を受信するサーバ側通信部と、
前記作業工程情報から特定される作業工程毎の格納フォルダに、前記画像データを格納するとともに、前記説明情報を、前記画像データと関連付けて前記格納フォルダに格納する格納部と、を備え、
前記格納フォルダには、前記作業工程の名称が割り振られ、前記監督者端末又は前記携帯通信端末から前記格納フォルダの名称を編集可能であることを特徴とする画像管理システム。
【請求項２】
前記サーバ側通信部は、前記格納部が前記格納フォルダに格納した前記画像データおよび前記説明情報それぞれの数量を示す数量情報を、前記端末側通信部に向けて送信し、
前記表示部は、前記作業工程情報とともに、前記画像データおよび前記説明情報それぞれの数量情報を、併せて表示することを特徴とする請求項１に記載の画像管理システム。
【請求項３】
前記携帯通信端末は、複数のグループを構成する複数のユーザそれぞれが保有し、
前記サーバは、前記複数のユーザが所属するグループ情報を含むユーザ情報を記憶するユーザ情報記憶部と、
前記携帯通信端末に対して、前記ユーザ情報に記載された前記グループ情報に基づいて、前記画像データを閲覧できるかどうかの閲覧権限を設定するユーザ権限設定部と、を備えていることを特徴とする請求項１から２のいずれか１項に記載の画像管理システム。
【請求項４】
前記ユーザ情報は、前記ユーザが所属する前記グループにおける役職情報を含み、
前記ユーザ権限設定部は、前記携帯通信端末に対して、前記ユーザ情報に記載された前記役職情報に基づいて、前記閲覧権限を設定することを特徴とする請求項３に記載の画像管理システム。
【請求項５】
前記サーバは、前記作業工程の様子の撮影を前記ユーザに促す報知情報を生成する報知部を備え、
前記サーバ側通信部は、前記報知情報を前記端末側通信部に向けて送信し、
前記携帯通信端末は、前記報知情報を、前記ユーザに伝達することを特徴とする請求項１から４のいずれか１項に記載の画像管理システム。
【請求項６】
前記撮影部は、前記作業工程の様子を撮影する際に、その時点の日時を示す日時情報を取得し、
前記端末側通信部は、前記画像データおよび前記作業工程情報とともに、前記日時情報を前記サーバ側通信部に向けて送信し、
前記格納部は、前記撮影部が取得した日時情報を、対応する画像データと関連付けて前記格納フォルダに格納することを特徴とする請求項１から５のいずれか１項に記載の画像管理システム。
【請求項７】
前記携帯通信端末は、複数のグループを構成する複数のユーザそれぞれが保有し、
前記サーバは、前記携帯通信端末を保有する前記複数のユーザが所属するグループ情報を含むユーザ情報を記憶するユーザ情報記憶部を備え、
前記格納部は、前記画像データを送信した前記携帯通信端末のユーザ情報を、前記ユーザ情報記憶部から取得して、前記ユーザ情報を前記画像データと関連付けて前記格納フォルダに格納することを特徴とする請求項１から６のいずれか１項に記載の画像管理システム。
【請求項８】
前記サーバは、前記画像データを撮影したユーザが所属するグループを管理するグループ監督者の指示により、前記画像データを撮影した前記ユーザに対して、前記画像データの再取得を促す再撮影指示部を備えていることを特徴とする請求項７に記載の画像管理システム。
【請求項９】
携帯通信端末と、監督者端末と、前記携帯通信端末及び前記監督者端末とネットワークを介して接続されたサーバと、を用いて行われる画像管理方法であって、
前記携帯通信端末のコンピュータが、
前記携帯通信端末の表示部に表示された、作業現場における複数の作業工程の名称が表示された複数のボタンのうちのいずれか一つのボタンを、ユーザから押下されることで作業工程の指定を受け付けるとともに、前記作業工程の様子を撮影した画像データの内容を説明する説明情報を受け付ける受付ステップと、
前記ユーザからの前記作業工程の指定の後に、前記作業工程の様子を撮影する撮影ステップと、
前記撮影ステップにより撮影した前記画像データ、および前記受付ステップにより受け付けた作業工程を示す作業工程情報を送信するとともに、前記説明情報を前記サーバに向けて送信する端末側通信ステップと、を実行し、
前記サーバのコンピュータが、
前記画像データおよび前記作業工程情報を受信するとともに、前記端末側通信ステップにおいて送信された説明情報を受信するサーバ側通信ステップと、
前記作業工程情報から特定される作業工程毎の格納フォルダに、前記画像データを格納するとともに、前記説明情報を、前記画像データと関連付けて前記格納フォルダに格納する格納ステップと、を実行し、
前記監督者端末は、主に前記ユーザが所属するグループを管理するグループ監督者が使用する端末であり、
前記格納フォルダには、前記作業工程の名称が割り振られ、前記監督者端末又は前記携帯通信端末から前記格納フォルダの名称を編集可能であることを特徴とする画像管理方法。
【請求項１０】
携帯通信端末と、監督者端末と、前記携帯通信端末及び前記監督者端末とネットワークを介して接続されたサーバと、を含む画像管理システムに用いられる画像管理プログラムであって、
前記携帯通信端末のコンピュータに、
前記携帯通信端末の表示部に表示された、作業現場における複数の作業工程の名称が表示された複数のボタンのうちのいずれか一つのボタンを、ユーザから押下されることで作業工程の指定を受け付けるとともに、前記作業工程の様子を撮影した画像データの内容を説明する説明情報を受け付ける受付機能と、
前記ユーザからの前記作業工程の指定の後に、前記作業工程の様子を撮影する撮影機能と、
前記撮影機能により撮影した前記画像データ、および前記受付機能により受け付けた作業工程を示す作業工程情報を送信するとともに、前記説明情報を前記サーバに向けて送信する端末側通信機能と、を実現させ、
前記サーバのコンピュータに、
前記画像データおよび前記作業工程情報を受信するとともに、前記端末側通信機能において送信された説明情報を受信するサーバ側通信機能と、
前記作業工程情報から特定される作業工程毎の格納フォルダに、前記画像データを格納するとともに、前記説明情報を、前記画像データと関連付けて前記格納フォルダに格納する格納機能と、を実現させ、
前記監督者端末は、主に前記ユーザが所属するグループを管理するグループ監督者が使用する端末であり、
前記格納フォルダには、前記作業工程の名称が割り振られ、前記監督者端末又は前記携帯通信端末から前記格納フォルダの名称を編集可能であることを特徴とする画像管理プログラム。